(57)【特許請求の範囲】
【請求項１】
流入口と長方形溝を有する流出口とを有する筒状の装置本体と、該装置本体に挿入され楔状溝を有するシャフトと、該装置本体に装着される取付板と、該取付板を固定し該シャフトを軸支するシャフトガイドと、該シャフトに嵌合される手動ダイヤルと、からなる局部洗浄装置用水勢調節装置において、３つの金型コマを三方向に移動させて形成した楔状溝を有するシャフトとしたことを特徴とする局部洗浄装置用水勢調節装置。
【発明の詳細な説明】
【０００１】
【発明の属する技術分野】
本発明は、ホテル、マンション等のシステムバス内に設けられた洋風便器に設置し該洋風便器使用者の臀部を水洗浄できる局部洗浄装置に搭載され、該局部洗浄装置内の給水源（温水タンク）と洗浄ノズルとの中間に設けられ、手動ダイヤル操作式で洗浄ノズルから噴出される洗浄水の流出量調節を行う水勢調節装置に係るものであり、詳しくは手動ダイヤルの回転に応じ、該手動ダイヤルに直結されて射出成形合成樹脂で形成されたシャフトの楔状溝と、射出成形合成樹脂で形成された装置本体流出口の長方形溝と、の交差角度により決定される水の吐水量を、量産品全てにおいて高い確率で再現させるために、成形金型を３分割して形成された該シャフトを有する水勢調節装置に関する。
【０００２】
【従来の技術】
従来の局部洗浄装置用水勢調節装置は、流入口と長方形溝を有する流出口とを有し取付アームを有する筒状の装置本体と、該装置本体に挿入され楔状溝を有するシャフトと、該シャフトを軸支するシャフトガイドと、該シャフトに嵌合される手動ダイヤルと、からなっていた。
【０００３】
【発明が解決しようとする課題】
しかしながら、射出成形合成樹脂で形成されたシャフトの楔状溝に変形が多く、漏水や規定の水の流出量が再現されない等の障害が発生し易いので、選別して組み立てしていたので、余分なコストが発生していた。
【０００４】
本発明は、従来の技術の有するこのような問題点に鑑みてなされたものであり、その目的とするところは、シャフトの歩留りを改善した安価な局部洗浄装置用水勢調整装置を提供しようとするものである。
【０００５】
【課題を解決するための手段】
上記目的を達成するために、本発明における局部洗浄装置用水勢調整装置は、流入口と長方形溝を有する流出口とを有する筒状の装置本体と、該装置本体に挿入され楔状溝を有するシャフトと、該装置本体に装着される取付板と、該取付板を固定し該シャフトを軸支するシャフトガイドと、該シャフトに嵌合される手動ダイヤルと、からなるものであって、３つの金型コマを三方向に移動させて形成した楔状溝を有するシャフトとしたことを特徴とする。
【０００６】
【発明の実施の形態】
発明の実施の形態について図面を参照して説明する。
図１は手動ダイヤル５０を外した時の本発明の一実施例の局部洗浄装置用水勢調整装置のアイソメ図である。図２は本発明の一実施例の局部洗浄装置用水勢調整装置の断面図である。
本発明の一実施例の局部洗浄装置用水勢調整装置は、シャフト挿入口４１と流入口４３と長方形溝を有する流出口４２とを有する筒状の装置本体４０（例えば、ＰＰ樹脂）と、３つの金型コマ（図６における６０、７０、８０）を三方向に移動させて形成した楔状溝２２を有するシャフト２０（例えば、ＰＰ樹脂）と、略中央部に設けられた大孔に２個の凹部を有する取付板３０（例えば、ＰＰ樹脂、鉄板）と、シャフトガイド１０（例えば、ＰＰ樹脂）と、手動ダイヤル５０（例えば、ＡＢＳ樹脂）と、からなる。
装置本体４０の取付板３０を固定する鍔部には、１個又は複数個の凸部４４を設けてあるので、取付板３０の凹部と該凸部４４とが嵌合されて、取付板３０が装置本体４０に装着（固定）される。
シャフト２０に環装されるＯリング２１は、装置本体４０とシャフト２０との水密保持部品である。
取付板３０は、略中央部に設けられた大孔に４個の凹部を有する取付板３１としても良い。又任意の凹部を有する取付板としても良い。
シャフトガイド１０は、装置本体４０にシャフト２０が挿入され、装置本体４０に取付板３０を装着した後に、装置本体４０の外周壁に螺刻されたシャフト挿入口４１に螺着される。
そして、シャフト２０に手動ダイヤル５０が挿着されて、本発明の一実施例の局部洗浄装置用水勢調整装置となる。
但し、手動ダイヤル５０は、装置本体４０が局部洗浄装置の左右何れかに設けられた操作ボックスに取付けられた後に、挿着される場合もある。
【０００７】
図３は手動ダイヤル５０を回転させた時の吐水量を示した流量特性図とシャフト２０の楔状溝２２の展開図である。
手動ダイヤル５０の回転に応じ、該手動ダイヤル５０に直結されて射出成形合成樹脂で形成されたシャフト２０の楔状溝２２と、射出成形合成樹脂で形成された装置本体４０流出口４２の長方形溝と、の交差角度により決定される水の吐水量は図３の通りである。
図３に示すシャフト２０の楔状溝２２の展開図において、ダイヤル回転角度が略１５°のところは流量が最小吐水になるように溝幅が一番狭く、１８０°前後のところは流量が最大吐水になるように溝幅が一番広くなっている。
このように、楔状溝２２は、ダイヤル回転角度が略１５°のところから１８０°を超えた部分までシャフト２０の外周部に湾曲状に形成されたものである。
【０００８】
図４及び図５は手動ダイヤル５０を外した時の本発明の一実施例の局部洗浄装置用水勢調整装置の平面図である。
取付板３０を表裏反転して該装置本体４０に装着すれば、図４又は図５のようになる。これで、局部洗浄装置の左右何れかに設けられた操作ボックスに取付けが可能となる。
【０００９】
図６は３つの金型コマを寄せてシャフト２０の楔状溝２２を形成している状態を表した概略図である。
従来はシャフト２０の外周部に湾曲状に形成された楔状溝２２については、３つの金型コマを三方向に移動させて分離していなかったので、楔状溝２２に変形が多かったが、図６に示すように、３つの金型コマ６０、７０、８０を三方向に移動させて分離すると、楔状溝２２にダレ、カジリが減少する。
これにより、手動ダイヤル５０の回転に応じ、該手動ダイヤル５０に直結されて射出成形合成樹脂で形成されたシャフト２０の楔状溝２２と、射出成形合成樹脂で形成された装置本体４０流出口４２の長方形溝と、の交差角度により決定される水の吐水量を、量産品全てにおいて高い確率で再現させることができた。
【００１０】
以上、本発明の好適な実施の形態について述べてきたが、本発明は上述する実施の形態に限定されるものでなく、発明の精神を逸脱しない範囲で多くの組合せ、改変等を施し得るのはもちろんである。
【００１１】
【発明の効果】
本発明における局部洗浄装置用水勢調整装置においては、３つの金型コマを三方向に移動させて形成した楔状溝とすれば、シャフトの歩留りを改善できるという効果を奏する。
【図面の簡単な説明】
【図１】手動ダイヤルを外した時の本発明の一実施例の局部洗浄装置用水勢調整装置のアイソメ図である。
【図２】本発明の一実施例の局部洗浄装置用水勢調整装置の断面図である。
【図３】手動ダイヤルを回転させた時の吐水量を示した流量特性図とシャフトの楔状溝の展開図である。
【図４】手動ダイヤルを外した時の本発明の一実施例の局部洗浄装置用水勢調整装置の平面図である。
【図５】図４の局部洗浄装置用水勢調整装置の取付板を表裏反転して装着した場合の平面図である。
【図６】３つの金型コマを寄せてシャフトの楔状溝を形成している状態を表した概略図である。
【符号の説明】
１０…シャフトガイド、２０…シャフト、２２…楔状溝、３０…取付板、４０…装置本体、４２…流出口、４４…凸部、５０…手動ダイヤル
【図１】
0003698300.tif 000002
【図２】
0003698300.tif 000003
【図３】
0003698300.tif 000004
【図４】
0003698300.tif 000005
【図５】
0003698300.tif 000006
【図６】
0003698300.tif 000007